【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
単一の超音波装置に直接かつ通信可能に結合されたモバイルコンピューティングデバイスであって、前記モバイルコンピューティングデバイスは、少なくとも１つのプロセッサを備え、前記少なくとも１つのプロセッサは、
それぞれの超音波動作モードに対応した複数のユーザ選択可能なグラフィカルユーザインタフェース（ＧＵＩ）メニューオプションを有するＧＵＩを生成することであって、前記複数のユーザ選択可能なＧＵＩメニューオプションは、心臓イメージングのための動作モードを表すように名前が付けられたＧＵＩメニューオプションと、腹部イメージングのための動作モードを表すように名前が付けられたＧＵＩメニューオプションと、小部分イメージングのための動作モードを表すように名前が付けられたＧＵＩメニューオプションと、肺イメージングのための動作モードを表すように名前が付けられたＧＵＩメニューオプションとを含む、前記ＧＵＩを生成することと、
前記ＧＵＩを介して、前記超音波動作モードのうちのある超音波動作モードを選択することを示すユーザ入力を受信することと、
前記ユーザ入力を受信することに応じて、前記選択された動作モードで動作するための表示を前記超音波装置に提供することと、
を行うように構成され、
前記モバイルコンピューティングデバイスは、電話またはタブレットである、
モバイルコンピューティングデバイス。
【請求項２】
前記モバイルコンピューティングデバイスは、タッチスクリーンを備え、前記ユーザ選択可能なメニューオプションは、タッチ操作により選択可能である、請求項１に記載のモバイルコンピューティングデバイス。
【請求項３】
前記それぞれの超音波動作モードは、異なる超音波信号周波数に関連付けられた動作モードを表す、請求項１に記載のモバイルコンピューティングデバイス。
【請求項４】
前記モバイルコンピューティングデバイスは、前記複数のユーザ選択可能なＧＵＩメニューオプションからのメニューオプションの選択を受信することに応じて、前記超音波装置を制御するための制御信号を生成するように構成される、請求項１に記載のモバイルコンピューティングデバイス。
【請求項５】
前記モバイルコンピューティングデバイスは、
前記超音波装置によって取得されるデータを受信することと、
前記データから少なくとも１つの超音波画像を生成することと、
前記少なくとも１つの生成された超音波画像を表示することと、
を行うようにさらに構成される、請求項１に記載のモバイルコンピューティングデバイス。
【請求項６】
超音波動作モードの選択を示す前記ユーザ入力は、前記超音波動作モードに関連付けられた記憶された構成プロファイルに従って前記超音波装置を動作させるための表示を含み、前記構成プロファイルは、前記超音波動作モードで前記超音波装置を動作させるためのパラメータ値の集合を含む、請求項１に記載のモバイルコンピューティングデバイス。
【請求項７】
単一の超音波装置に直接かつ通信可能に結合されたモバイルコンピューティングデバイスであって、前記モバイルコンピューティングデバイスは、
少なくとも１つのコンピュータハードウェアプロセッサと、
ディスプレイと、
アプリケーションプログラムを記憶する少なくとも１つの非一過性コンピュータ可読記憶媒体と、を備え、
前記アプリケーションプログラムは、前記少なくとも１つのコンピュータハードウェアプロセッサによって実行されると、前記少なくとも１つのコンピュータハードウェアプロセッサに、
前記超音波装置のための複数の動作モードをそれぞれ表す複数のグラフィカルユーザインタフェース（ＧＵＩ）要素を有するＧＵＩを生成することであって、前記複数のＧＵＩ要素は、心臓イメージングのための動作モードを表すように名前が付けられたＧＵＩ要素と、腹部イメージングのための動作モードを表すように名前が付けられたＧＵＩ要素と、小部分イメージングのための動作モードを表すように名前が付けられたＧＵＩ要素と、肺イメージングのための動作モードを表すように名前が付けられたＧＵＩ要素とを含む、前記ＧＵＩを生成することと、
前記ディスプレイを介して前記ＧＵＩを提示することと、
前記ＧＵＩを介して、前記複数の動作モードのうちの１つを選択することを示すユーザ入力を受信することと、
前記ユーザ入力を受信することに応じて、前記選択された動作モードで動作するための表示を前記超音波装置に提供することと、を実行させ、
前記モバイルコンピューティングデバイスは、電話またはタブレットである、
モバイルコンピューティングデバイス。
【請求項８】
前記複数のＧＵＩ要素は、眼球イメージングのための動作モードを表すＧＵＩ要素をさらに含む、請求項７に記載のモバイルコンピューティングデバイス。
【請求項９】
前記ディスプレイは、タッチスクリーンであり、前記モバイルコンピューティングデバイスは、前記タッチスクリーンを介して前記選択を示す前記ユーザ入力を受信するように構成される、請求項７に記載のモバイルコンピューティングデバイス。
【請求項１０】
前記少なくとも1つのコンピュータハードウェアプロセッサは、
前記選択された動作モードでの動作中に、前記超音波装置によって取得されるデータを受信することと、
前記データから少なくとも１つの超音波画像を生成することと、
前記ディスプレイを介して前記少なくとも１つの生成された超音波画像を表示することと、
を行うようにさらに構成される、請求項７に記載のモバイルコンピューティングデバイス。
【請求項１１】
前記選択された動作モードの前記表示は、前記選択された動作モードに対応する１つ以上のパラメータを含む、請求項７に記載のモバイルコンピューティングデバイス。
【請求項１２】
前記１つ以上のパラメータは、送信中心周波数を指定するパラメータ値を含む、請求項１１に記載のモバイルコンピューティングデバイス。
【請求項１３】
前記１つ以上のパラメータは、受信中心周波数を指定するパラメータ値を含む、請求項１１に記載のモバイルコンピューティングデバイス。
【請求項１４】
前記１つ以上のパラメータは、クロックレートを指定するパラメータ値を含む、請求項１１に記載のモバイルコンピューティングデバイス。
【請求項１５】
単一の超音波装置に直接かつ通信可能に結合されたモバイルコンピューティングデバイスを動作させる方法であって、当該方法は、
前記モバイルコンピューティングデバイスを使用して、
前記超音波装置のための複数の動作モードをそれぞれ表す複数のグラフィカルユーザインタフェース（ＧＵＩ）要素を有するＧＵＩを生成することであって、前記複数のＧＵＩ要素は、心臓イメージングのための動作モードを表すように名前が付けられたＧＵＩ要素と、腹部イメージングのための動作モードを表すように名前が付けられたＧＵＩ要素と、小部分イメージングのための動作モードを表すように名前が付けられたＧＵＩ要素と、肺イメージングのための動作モードを表すように名前が付けられたＧＵＩ要素とを含む、前記ＧＵＩを生成することと、
前記ＧＵＩを介して、前記複数の動作モードのうちの１つを選択することを示すユーザ入力を受信することと、
前記ユーザ入力を受信することに応じて、前記選択された動作モードで動作するための表示を前記超音波装置に提供することと、を実行することを含み、
前記モバイルコンピューティングデバイスは、電話またはタブレットである、
方法。